【手続補正書】
【提出日】平成30年9月13日(2018.9.13)
【手続補正１】
【補正対象書類名】特許請求の範囲
【補正対象項目名】全文
【補正方法】変更
【補正の内容】
【特許請求の範囲】
【請求項１】
高次アンビソニックオーディオ信号を表すビットストリームを復号するように構成されたデバイスであって、
前記高次アンビソニックオーディオ信号を表す前記ビットストリームを記憶するように構成されたメモリと、
前記ビットストリームにおいて指定されたチャネルの総数の指示を前記ビットストリームから取得することと、
前記ビットストリームにおける１つまたは複数のレイヤの各々において指定されたチャネルの数の指示を前記ビットストリームから取得することと、
前記１つまたは複数のレイヤの各々において指定されたチャネルの前記数の前記指示と、前記ビットストリームにおいて指定されたチャネルの前記総数の前記指示とに基づいて、前記ビットストリームにおける前記１つまたは複数のレイヤにおいて指定された前記チャネルを取得することと、
を行うように構成された１つまたは複数のプロセッサと、
を備え、
前記レイヤは、第１のレイヤが第２のレイヤと組み合わせられたときに、前記高次アンビソニックオーディオ信号のより高い分解表現を提供するように、階層的であり、
前記チャネルは、高次アンビソニックトランスポートチャネルである、デバイス。
【請求項２】
前記１つまたは複数のプロセッサは、前記ビットストリームにおける前記１つまたは複数のレイヤにおいて指定された前記チャネルのうちの１つのチャネルのタイプの指示を取得するようにさらに構成され、
前記１つまたは複数のプロセッサは、前記１つまたは複数のレイヤの各々において指定されたチャネルの前記数の前記指示、前記ビットストリームにおいて指定されたチャネルの前記総数の前記指示、および前記チャネルのうちの前記１つの前記タイプの前記指示に基づいて、前記チャネルのうちの前記１つを取得するように構成される、請求項１に記載のデバイス。
【請求項３】
前記１つまたは複数のプロセッサは、前記ビットストリームにおける前記１つまたは複数のレイヤにおいて指定された前記チャネルのうちの１つのチャネルのタイプの指示を取得するようにさらに構成され、前記チャネルのうちの前記１つの前記タイプの前記指示は、前記チャネルのうちの前記１つがフォアグラウンドチャネルであることを示し、
前記１つまたは複数のプロセッサは、前記１つまたは複数のレイヤの各々において指定されたチャネルの前記数の前記指示、前記ビットストリームにおいて指定されたチャネルの前記総数の前記指示、および前記チャネルのうちの前記１つの前記タイプが前記フォアグラウンドチャネルであることの前記指示に基づいて、前記チャネルのうちの前記１つを取得するように構成される、請求項１に記載のデバイス。
【請求項４】
前記プロセッサは、前記ビットストリームにおいて指定されたレイヤの数の指示を取得するようにさらに構成され、
前記プロセッサは、前記１つまたは複数のレイヤの各々において指定されたチャネルの前記数の前記指示、前記ビットストリームにおいて指定されたチャネルの前記総数の前記指示、およびレイヤの前記数の前記指示に基づいて、前記チャネルのうちの前記１つを取得するように構成される、請求項１に記載のデバイス。
【請求項５】
レイヤの前記数の前記指示は、前記ビットストリームの以前のフレームにおけるレイヤの数の指示を備え、
前記１つまたは複数のプロセッサは、現在のフレームにおいて、前記ビットストリームにおける１つまたは複数のレイヤにおいて指定されたチャネルの前記数が、前記以前のフレームの前記ビットストリームにおける１つまたは複数のレイヤにおいて指定されたチャネルの数と比較して、変化しているかどうかの指示を取得するようにさらに構成され、
前記プロセッサは、前記現在のフレームにおいて、前記ビットストリームにおける１つまたは複数のレイヤにおいて指定されたチャネルの前記数が変化しているかどうかの前記指示に基づいて、前記チャネルのうちの前記１つを取得するように構成される、請求項４に記載のデバイス。
【請求項６】
前記１つまたは複数のプロセッサは、前記現在のフレームにおいて、前記ビットストリームの前記１つまたは複数のレイヤにおいて指定されたチャネルの前記数が、前記以前のフレームにおける前記ビットストリームの前記１つまたは複数のレイヤにおいて指定されたチャネルの前記数と比較して、変化していないことを前記指示が示すときに、前記現在のフレームにおける前記ビットストリームの前記１つまたは複数のレイヤにおいて指定されたチャネルの前記数を、前記以前のフレームにおける前記ビットストリームの前記１つまたは複数のレイヤにおいて指定されたチャネルの前記数と同じものとして決定するようにさらに構成される、請求項４に記載のデバイス。
【請求項７】
前記１つまたは複数のプロセッサは、前記現在のフレームにおいて、前記ビットストリームの前記１つまたは複数のレイヤにおいて指定されたチャネルの前記数が、前記以前のフレームにおける前記ビットストリームの前記１つまたは複数のレイヤにおいて指定されたチャネルの前記数と比較して、変化していないことを前記指示が示すときに、前記現在のフレームに関する前記レイヤのうちの１つまたは複数におけるチャネルの現在の数が、前記以前のフレームの前記レイヤのうちの１つまたは複数におけるチャネルの以前の数と同じであることの指示を取得するようにさらに構成される、請求項４に記載のデバイス。
【請求項８】
前記高次アンビソニックオーディオ信号に基づいて、音場を再生するように構成されたラウドスピーカーをさらに備える、請求項１に記載のデバイス。
【請求項９】
高次アンビソニックオーディオ信号を表すビットストリームを復号する方法であって、
前記ビットストリームにおいて指定されたチャネルの総数の指示を、前記高次アンビソニックオーディオ信号を表す前記ビットストリームから取得することと、
前記ビットストリームにおける１つまたは複数のレイヤの各々において指定されたチャネルの数の指示を前記ビットストリームから取得することと、
前記１つまたは複数のレイヤの各々において指定されたチャネルの前記数の前記指示と、前記ビットストリームにおいて指定されたチャネルの前記総数の前記指示とに基づいて、前記ビットストリームにおける前記１つまたは複数のレイヤにおいて指定された前記チャネルを取得することと、
を備え、
前記レイヤは、第１のレイヤが第２のレイヤと組み合わせられたときに、前記高次アンビソニックオーディオ信号のより高い分解表現を提供するように、階層的であり、
前記チャネルは、高次アンビソニックトランスポートチャネルである、方法。
【請求項１０】
前記レイヤはベースレイヤを備える、請求項９に記載の方法。
【請求項１１】
前記レイヤはベースレイヤと１つまたは複数のエンハンスメントレイヤとを備える、請求項９に記載の方法。
【請求項１２】
前記１つまたは複数のレイヤの数は固定である、請求項９に記載の方法。
【請求項１３】
実行されると、１つまたは複数のプロセッサに、請求項９乃至１２のいずれかに記載の方法を実行することを行わせる命令を記憶した非一時的コンピュータ可読記憶媒体。
【請求項１４】
ビットストリームを生成するために高次アンビソニックオーディオ信号を符号化するように構成されたデバイスであって、
前記ビットストリームにおいて指定されたチャネルの総数の指示を、前記高次アンビソニックオーディオ信号を表す前記ビットストリームにおいて指定し、前記ビットストリームの１つまたは複数のレイヤの各々において指定されたチャネルの数の指示を前記ビットストリームにおいて指定し、前記１つまたは複数のレイヤの各々がチャネルの前記指示された数を含むように前記ビットストリームにおいて前記チャネルの前記指示された総数を指定するように構成された１つまたは複数のプロセッサと、
前記ビットストリームを記憶するように構成されたメモリと、
を備え、
前記レイヤは、第１のレイヤが第２のレイヤと組み合わせられたときに、前記高次アンビソニックオーディオ信号のより高い分解表現を提供するように、階層的であり、
前記チャネルは、高次アンビソニックトランスポートチャネルである、デバイス。
【請求項１５】
ビットストリームを生成するために高次アンビソニックオーディオ信号を符号化する方法であって、
前記ビットストリームにおいて指定されたチャネルの総数の指示を、前記高次アンビソニックオーディオ信号を表す前記ビットストリームにおいて指定することと、
前記ビットストリームの１つまたは複数のレイヤの各々において指定されたチャネルの数の指示を前記ビットストリームにおいて指定することと、
前記１つまたは複数のレイヤの各々がチャネルの前記指示された数を含むように前記ビットストリームにおいて前記チャネルの前記指示された総数を指定することと、
を備え、
前記レイヤは、第１のレイヤが第２のレイヤと組み合わせられたときに、前記高次アンビソニックオーディオ信号のより高い分解表現を提供するように、階層的であり、
前記チャネルは、高次アンビソニックトランスポートチャネルである、方法。